(57)【特許請求の範囲】
【請求項１】
印刷物に印刷された印刷対象を裁断手段により裁断処理する印刷裁断処理装置において、
前記印刷対象の元データとなる展開基準図形データを複数記憶する展開基準図形記憶手段と、
この展開基準図形記憶手段に記憶された複数種の展開基準図形データの中から任意の展開基準図形データを選択する展開基準図形選択手段と、
この展開基準図形選択手段により選択された展開基準図形データに対応する展開基準図形のサイズを前記印刷物のサイズに合うように変更することによって展開図形を生成する展開図形生成手段と、
この展開図形生成手段により生成された展開図形を前記印刷物に印刷する印刷手段と、
この印刷手段により印刷された展開図形の輪郭線を切取枠として前記印刷物の裁断処理を制御する裁断制御手段と、を備え、
前記印刷手段は、前記展開図形上の任意の面に画像または文字が含まれる場合には、前記印刷物に印刷された展開図形上の所定の位置に前記画像または文字を印刷することを特徴とする印刷裁断処理装置。
【請求項２】
印刷物に印刷された印刷対象を裁断手段により裁断処理する印刷裁断処理装置において、
前記印刷対象の元データとなる展開基準図形データを複数記憶する展開基準図形記憶手段と、
この展開基準図形記憶手段に記憶された複数種の展開基準図形データの中から任意の展開基準図形データを選択する展開基準図形選択手段と、
この展開基準図形選択手段により選択された展開基準図形データに対応する展開基準図形がのりしろを有する場合には、当該のりしろを除く展開基準図形のサイズを前記印刷物のサイズに合うように変更することによって展開図形を生成する展開図形生成手段と、
前記のりしろを除く展開基準図形のサイズに基づいて適切なサイズののりしろを生成するのりしろ生成手段と、
前記展開図形生成手段により生成された展開図形を前記のりしろ生成手段により生成されたのりしろとともに前記印刷物に印刷する印刷手段と、
この印刷手段により印刷されたのりしろを含む展開図形の輪郭線を切取枠として前記印刷物の裁断処理を制御する裁断制御手段と、
を備えたことを特徴とする印刷裁断処理装置。
【請求項３】
前記印刷手段は、前記展開図形上の任意の面に画像または文字が含まれる場合には、前記印刷物に印刷された展開図形上の所定の位置に前記画像または文字を印刷することを特徴とする請求項２に記載の印刷裁断処理装置。
【請求項４】
印刷物に印刷された印刷対象を裁断手段により裁断処理する印刷裁断処理装置において、
前記印刷対象の元データとなる展開基準図形データを複数記憶する展開基準図形記憶手段と、
この展開基準図形記憶手段に記憶された複数種の展開基準図形データの中から任意の展開基準図形データを選択する展開基準図形選択手段と、
この展開基準図形選択手段により選択された展開基準図形データに対応する展開基準図形のサイズを前記印刷物のサイズに合うように変更することによって展開図形を生成する展開図形生成手段と、
この展開図形生成手段により生成された展開図形の頂点の中から前記裁断手段による裁断処理の基準点となる任意の頂点を抽出し、当該基準点を形成する二辺の前記印刷物上の延長線上の一辺における任意の点を前記裁断処理を開始する始点に決定し、他辺における任意の点を前記裁断処理を終了する終点に決定する始点決定手段と、
前記展開図形生成手段により生成された展開図形を前記始点決定手段により決定された始点及び終点とともに前記印刷物に印刷する印刷手段と、
この印刷手段により印刷された始点から前記展開図形の輪郭線を切取枠とする前記印刷物の裁断処理を開始し、前記裁断手段が終点に達した時点で前記裁断処理を終了する裁断制御手段と、
を備えたことを特徴とする印刷裁断処理装置。
【請求項５】
印刷物に印刷された印刷対象を裁断手段により裁断処理する印刷裁断処理装置において、
前記印刷対象の元データとなる展開基準図形データを複数記憶する展開基準図形記憶手段と、
この展開基準図形記憶手段に記憶された複数種の展開基準図形データの中から任意の展開基準図形データを選択する展開基準図形選択手段と、
この展開基準図形選択手段により選択された展開基準図形データに対応する展開基準図形のサイズを前記印刷物のサイズに合うように変更することによって展開図形を生成する展開図形生成手段と、
この展開図形生成手段により生成された展開図形を形成する複数の線を当該線が輪郭線であるか否かを区別して複数の線種で印刷する印刷手段と、
前記複数の線種に基づいて前記印刷手段により印刷された前記展開図形上の線が輪郭線であるか否かを判定する線種判定手段と、
この線種判定手段により輪郭線と判定された線を前記展開図形の切取枠として前記印刷物を裁断処理するとともに、輪郭線ではないと判定された線に沿って前記印刷物のハーフカットを行う裁断制御手段と、
を備えたことを特徴とする印刷裁断処理装置。
【請求項６】
前記印刷手段は、前記印刷物に前記印刷対象を印刷する際に、前記裁断手段により裁断処理する位置を決定する指標となるマークを前記印刷対象とともに印刷し、
前記印刷手段により印刷された前記マークの前記印刷物上における印刷位置を認識するマーク位置認識手段、を更に備え、
前記裁断制御手段は、前記マーク位置認識手段により認識された前記マークの印刷位置に基づいて前記印刷対象の裁断処理を制御することを特徴とする請求項１または２に記載の印刷裁断処理装置。
【請求項７】
印刷物に印刷された印刷対象を裁断手段により裁断処理するためのコンピュータが実行可能なプログラムを格納した記憶媒体であって、
前記コンピュータを、
前記印刷対象の元データとなる展開基準図形データを複数記憶する展開基準図形記憶手段、
この展開基準図形記憶手段に記憶された複数種の展開基準図形データの中から任意の展開基準図形データを選択する展開基準図形選択手段、
この展開基準図形選択手段により選択された展開基準図形データに対応する展開基準図形のサイズを前記印刷物のサイズに合うように変更することによって展開図形を生成する展開図形生成手段、
この展開図形生成手段により生成された展開図形を前記印刷物に印刷する印刷手段、
この印刷手段により印刷された展開図形の輪郭線を切取枠として前記印刷物の裁断処理を制御する裁断制御手段、
として機能させるためのプログラムを記録したコンピュータ読み取り可能な記録媒体。
【請求項８】
印刷物に印刷された印刷対象を裁断手段により裁断処理するためのコンピュータが実行可能なプログラムを格納した記憶媒体であって、
前記コンピュータを、
前記印刷対象の元データとなる展開基準図形データを複数記憶する展開基準図形記憶手段、
この展開基準図形記憶手段に記憶された複数種の展開基準図形データの中から任意の展開基準図形データを選択する展開基準図形選択手段、
この展開基準図形選択手段により選択された展開基準図形データに対応する展開基準図形がのりしろを有する場合には、当該のりしろを除く展開基準図形のサイズを前記印刷物のサイズに合うように変更することによって展開図形を生成する展開図形生成手段、
前記のりしろを除く展開基準図形のサイズに基づいて適切なサイズののりしろを生成するのりしろ生成手段、
前記展開図形生成手段により生成された展開図形を前記のりしろ生成手段により生成されたのりしろとともに前記印刷物に印刷する印刷手段、
この印刷手段により印刷されたのりしろを含む展開図形の輪郭線を切取枠として前記印刷物の裁断処理を制御する裁断制御手段、
として機能させるためのプログラムを記録したコンピュータ読み取り可能な記録媒体。
【請求項９】
印刷物に印刷された印刷対象を裁断手段により裁断処理するためのコンピュータが実行可能なプログラムを格納した記憶媒体であって、
前記コンピュータを、
前記印刷対象の元データとなる展開基準図形データを複数記憶する展開基準図形記憶手段、
この展開基準図形記憶手段に記憶された複数種の展開基準図形データの中から任意の展開基準図形データを選択する展開基準図形選択手段、
この展開基準図形選択手段により選択された展開基準図形データに対応する展開基準図形のサイズを前記印刷物のサイズに合うように変更することによって展開図形を生成する展開図形生成手段、
この展開図形生成手段により生成された展開図形の頂点の中から前記裁断手段による裁断処理の基準点となる任意の頂点を抽出し、当該基準点を形成する二辺の前記印刷物上の延長線上の一辺における任意の点を前記裁断処理を開始する始点に決定し、他辺における任意の点を前記裁断処理を終了する終点に決定する始点決定手段、
前記展開図形生成手段により生成された展開図形を前記始点決定手段により決定された始点及び終点とともに前記印刷物に印刷する印刷手段、
この印刷手段により印刷された始点から前記展開図形の輪郭線を切取枠とする前記印刷物の裁断処理を開始し、前記裁断手段が終点に達した時点で前記裁断処理を終了する裁断制御手段、
として機能させるためのプログラムを記録したコンピュータ読み取り可能な記録媒体。
【請求項１０】
印刷物に印刷された印刷対象を裁断手段により裁断処理するためのコンピュータが実行可能なプログラムを格納した記憶媒体であって、
前記コンピュータを、
前記印刷対象の元データとなる展開基準図形データを複数記憶する展開基準図形記憶手段、
この展開基準図形記憶手段に記憶された複数種の展開基準図形データの中から任意の展開基準図形データを選択する展開基準図形選択手段、
この展開基準図形選択手段により選択された展開基準図形データに対応する展開基準図形のサイズを前記印刷物のサイズに合うように変更することによって展開図形を生成する展開図形生成手段、
この展開図形生成手段により生成された展開図形を形成する複数の線を当該線が輪郭線であるか否かを区別して複数の線種で印刷する印刷手段、
前記複数の線種に基づいて前記印刷手段により印刷された前記展開図形上の線が輪郭線であるか否かを判定する線種判定手段、
この線種判定手段により輪郭線と判定された線を前記展開図形の切取枠として前記印刷物を裁断処理するとともに、輪郭線ではないと判定された線に沿って前記印刷物のハーフカットを行う裁断制御手段、
として機能させるためのプログラムを記録したコンピュータ読み取り可能な記録媒体。
【発明の詳細な説明】
【０００１】
【発明の属する技術分野】
本発明は、用紙上に印刷された文章や画像を読み取って指定された切取枠に従って裁断する印刷裁断処理装置及び記憶媒体に関する。
【０００２】
【従来の技術】
近年、印刷の用途が多様化し、通常紙のみならず、名刺形式の用紙やシール状の用紙を使用した印刷物が広く利用されている。このような印刷物は、一般に定型フォーマットに基づいて作られており、特定の用途にしか利用できないものが多い。また、店舗広告で使われるようなＰＯＰ等を作成するには、書式フリー形式のシール用紙に印刷後、ユーザが印刷物をマニュアルによりハサミやカッターで切り抜いていた。
【０００３】
このため、上記印刷物を作成する際に、パソコン等で編集したカッティングラインに沿って印刷した文字や図形等の外形を、印刷と同様の手順によって切り抜くことができる印刷裁断処理装置が開発されている。この印刷裁断処理装置では、裁断する際の台紙として使用するカッティングシートの上から文書の印刷を行い、その文書から自動的に文字や図形の輪郭を抽出し、その輪郭に沿ってカッティングシートにセットされた印刷用紙を切り取ることにより、多様なシールを作ることができる。
【０００４】
このような従来の印刷裁断処理装置としては、例えば、ガイド軸に沿って往復移動する印刷用キャリッジにカッターを搭載し、その印刷用キャリッジをガイド軸に沿って移動させながらカッターでロール状の印刷紙を切断するようにした印刷装置に搭載されたものや、ロール状の印刷紙の搬送方向で印刷ペンとカッターとをそれぞれ独立した駆動機構で配置させ、印刷ペン、カッターの各アップダウン制御を逆に行うことで印刷後にその印刷済み部分よりも後方の位置で切断するようにした印刷装置に搭載されたものが一般的に利用されている。
【０００５】
【発明が解決しようとする課題】
しかしながら、従来の印刷裁断処理装置では、以下のような問題点があった。例えば、シール等の平面的なものしか作成できなかったり、立体的なものを作る際にも、立体図形展開図のサイズを自動変更できないため、文字、図形等の印刷画像を立体図形の表裏面に挿入したい場合、ユーザが立体図形展開図から完成後の立体図形の位置関係を考えて手操作で挿入する必要があった。また、その際に立体図形展開図の周りに矩形等ののりしろを指定する必要があるが、のりしろの設定操作をユーザが行っており、調整操作が煩雑で作業効率が悪いという問題もあった。
【０００６】
さらに、裁断制御装置の駆動精度の問題から、カットの始点と終点が正確に一致していないため、カッティングシートから印刷用紙を剥がし取る際に、用紙の一部が切れてしまい、再度印刷処理からやり直す必要があるばかりでなく、印刷用紙を無駄に裁断してしまうという問題もあった。
【０００７】
本発明の課題は、裁断処理時の裁断ミス等の発生を防止するとともに、印刷対象に設定する切取線や切取枠のサイズ定義操作、のりしろ定義操作等の煩雑な操作を自動で行う印刷裁断処理装置及び記憶媒体を提供することである。
【０００８】
【課題を解決するための手段】
請求項１記載の発明は、
印刷物に印刷された印刷対象を裁断手段（例えば、図１のカッティング装置９に対応する）により裁断処理する印刷裁断処理装置（例えば、図１のワードプロセッサ１に対応する）において、
前記印刷対象の元データとなる展開基準図形データを複数記憶する展開基準図形記憶手段（例えば、図１のＲＡＭ５に対応する）と、
この展開基準図形記憶手段に記憶された複数種の展開基準図形データの中から任意の展開基準図形データを選択する展開基準図形選択手段（例えば、図１のＣＰＵ２に対応する）と、
この展開基準図形選択手段により選択された展開基準図形データに対応する展開基準図形のサイズを前記印刷物のサイズに合うように変更することによって展開図形を生成する展開図形生成手段（例えば、図１のＣＰＵ２に対応する）と、
この展開図形生成手段により生成された展開図形を前記印刷物に印刷する印刷手段（例えば、図１の印刷装置８に対応する）と、
この印刷手段により印刷された展開図形の輪郭線を切取枠として前記印刷物の裁断処理を制御する裁断制御手段（例えば、図１のＣＰＵ２に対応する）と、を備え、
前記印刷手段は、前記展開図形上の任意の面に画像または文字が含まれる場合には、前記印刷物に印刷された展開図形上の所定の位置に前記画像または文字を印刷する（例えば、図１の印刷装置８に対応する）ことを特徴としている。
【０００９】
請求項１記載記載の発明によれば、展開基準図形記憶手段は、前記印刷対象の元データとなる展開基準図形データを複数記憶し、展開基準図形選択手段は、前記展開基準図形記憶手段に記憶された複数種の展開基準図形データの中から任意の展開基準図形データを選択し、展開図形生成手段は、前記展開基準図形選択手段により選択された展開基準図形データに対応する展開基準図形のサイズを前記印刷物のサイズに合うように変更することによって展開図形を生成し、印刷手段は、前記展開図形生成手段により生成された展開図形を前記印刷物に印刷し、且つ前記展開図形上の任意の面に画像または文字が含まれる場合には、前記印刷物に印刷された展開図形上の所定の位置に前記画像または文字を印刷し、裁断制御手段は、前記印刷手段により印刷された展開図形の輪郭線を切取枠として前記印刷物の裁断処理を制御する。
【００１０】
したがって、ユーザは展開基準図形を選択する容易な操作で、印刷物のサイズに合った所望の立体図形展開図を効率的に作成できる。さらに、画像や文字を含む立体図形展開図を印刷、裁断することが可能となり、例えばクリスマスカード等のポップアップカードが容易に作成できる。
【００１１】
請求項２記載の発明は、
印刷物に印刷された印刷対象を裁断手段により裁断処理する印刷裁断処理装置において、
前記印刷対象の元データとなる展開基準図形データを複数記憶する展開基準図形記憶手段（例えば、図１のＲＡＭ５に対応する）と、
この展開基準図形記憶手段に記憶された複数種の展開基準図形データの中から任意の展開基準図形データを選択する展開基準図形選択手段（例えば、図１のＣＰＵ２に対応する）と、
この展開基準図形選択手段により選択された展開基準図形データに対応する展開基準図形がのりしろを有する場合には、当該のりしろを除く展開基準図形のサイズを前記印刷物のサイズに合うように変更することによって展開図形を生成する展開図形生成手段（例えば、図１のＣＰＵ２に対応する）と、
前記のりしろを除く展開基準図形のサイズに基づいて適切なサイズののりしろを生成するのりしろ生成手段（例えば、図１のＣＰＵ２に対応する）と、
前記展開図形生成手段により生成された展開図形を前記のりしろ生成手段により生成されたのりしろとともに前記印刷物に印刷する印刷手段（例えば、図１の印刷装置８に対応する）と、
この印刷手段により印刷されたのりしろを含む展開図形の輪郭線を切取枠として前記印刷物の裁断処理を制御する裁断制御手段（例えば、図１のＣＰＵ２に対応する）と、
を備えたことを特徴としている。
【００１２】
請求項２記載の発明によれば、展開基準図形記憶手段は、前記印刷対象の元データとなる展開基準図形データを複数記憶し、展開基準図形選択手段は、記憶された複数種の展開基準図形データの中から任意の展開基準図形データを選択し、展開図形生成手段は、選択された展開基準図形データに対応する展開基準図形がのりしろを有する場合には、当該のりしろを除く展開基準図形のサイズを前記印刷物のサイズに合うように変更することによって展開図形を生成し、のりしろ生成手段は、前記のりしろを除く展開基準図形のサイズに基づいて適切なサイズののりしろを生成し、印刷手段は、生成された展開図形を前記のりしろ生成手段により生成されたのりしろとともに前記印刷物に印刷し、裁断制御手段は、印刷されたのりしろを含む展開図形の輪郭線を切取枠として前記印刷物の裁断処理を制御する。
【００１３】
したがって、ユーザは展開基準図形を選択する容易な操作で、立体図形展開図のサイズに合ったのりしろを自動的に作成できる。
【００１４】
請求項４記載の発明は、
印刷物に印刷された印刷対象を裁断手段により裁断処理する印刷裁断処理装置において、
前記印刷対象の元データとなる展開基準図形データを複数記憶する展開基準図形記憶手段（例えば、図１のＲＡＭ５に対応する）と、
この展開基準図形記憶手段に記憶された複数種の展開基準図形データの中から任意の展開基準図形データを選択する展開基準図形選択手段（例えば、図１のＣＰＵ２に対応する）と、
この展開基準図形選択手段により選択された展開基準図形データに対応する展開基準図形のサイズを前記印刷物のサイズに合うように変更することによって展開図形を生成する展開図形生成手段（例えば、図１のＣＰＵ２に対応する）と、この展開図形生成手段により生成された展開図形の頂点の中から前記裁断手段による裁断処理の基準点となる任意の頂点を抽出し、当該基準点を形成する二辺の前記印刷物上の延長線上の一辺における任意の点を前記裁断処理を開始する始点に決定し、他辺における任意の点を前記裁断処理を終了する終点に決定する始点決定手段（例えば、図１のＣＰＵ２に対応する）と、
前記展開図形生成手段により生成された展開図形を前記始点決定手段により決定された始点及び終点とともに前記印刷物に印刷する印刷手段（例えば、図１の印刷装置８に対応する）と、
この印刷手段により印刷された始点から前記展開図形の輪郭線を切取枠とする前記印刷物の裁断処理を開始し、前記裁断手段が終点に達した時点で前記裁断処理を終了する裁断制御手段（例えば、図１のＣＰＵ２に対応する）と、
を備えたことを特徴としている。
【００１５】
請求項４記載記載の発明によれば、展開基準図形記憶手段は、前記印刷対象の元データとなる展開基準図形データを複数記憶し、展開基準図形選択手段は、記憶された複数種の展開基準図形データの中から任意の展開基準図形データを選択し、展開図形生成手段は、選択された展開基準図形データに対応する展開基準図形のサイズを前記印刷物のサイズに合うように変更することによって展開図形を生成し、始点決定手段は、生成された展開図形の頂点の中から裁断処理の基準点となる任意の頂点を抽出し、当該基準点を形成する二辺の前記印刷物上の延長線上の一辺における任意の点を前記裁断処理を開始する始点に決定し、他辺における任意の点を前記裁断処理を終了する終点に決定し、印刷手段は、生成された展開図形を前記始点決定手段により決定された始点及び終点とともに前記印刷物に印刷し、裁断制御手段は、印刷された始点から前記展開図形の輪郭線を切取枠とする前記印刷物の裁断処理を開始し、前記裁断手段が終点に達した時点で前記裁断処理を終了する。
【００１６】
したがって、裁断の始点と終点の不一致による切れ残りを防ぎ、展開図形を用紙から容易に剥がすことができる。
【００１７】
請求項５記載の発明は、
印刷物に印刷された印刷対象を裁断手段により裁断処理する印刷裁断処理装置において、
前記印刷対象の元データとなる展開基準図形データを複数記憶する展開基準図形記憶手段（例えば、図１のＲＡＭ５に対応する）と、
この展開基準図形記憶手段に記憶された複数種の展開基準図形データの中から任意の展開基準図形データを選択する展開基準図形選択手段（例えば、図１のＣＰＵ２に対応する）と、
この展開基準図形選択手段により選択された展開基準図形データに対応する展開基準図形のサイズを前記印刷物のサイズに合うように変更することによって展開図形を生成する展開図形生成手段（例えば、図１のＣＰＵ２に対応する）と、
この展開図形生成手段により生成された展開図形を形成する複数の線を当該線が輪郭線であるか否かを区別して複数の線種で印刷する印刷手段（例えば、図１の印刷装置８に対応する）と、
前記複数の線種に基づいて前記印刷手段により印刷された前記展開図形上の線が輪郭線であるか否かを判定する線種判定手段（例えば、図１のＣＰＵ２に対応する）と、
この線種判定手段により輪郭線と判定された線を前記展開図形の切取枠として前記印刷物を裁断処理するとともに、輪郭線ではないと判定された線に沿って前記印刷物のハーフカットを行う裁断制御手段（例えば、図１のＣＰＵ２に対応する）と、
を備えたことを特徴としている。
【００１８】
請求項５記載記載の発明によれば、展開基準図形記憶手段は、前記印刷対象の元データとなる展開基準図形データを複数記憶し、展開基準図形選択手段は、記憶された複数種の展開基準図形データの中から任意の展開基準図形データを選択し、展開図形生成手段は、選択された展開基準図形データに対応する展開基準図形のサイズを前記印刷物のサイズに合うように変更することによって展開図形を生成し、印刷手段は、生成された展開図形を形成する複数の線を当該線が輪郭線であるか否かを区別して複数の線種で印刷し、線種判定手段は、前記複数の線種に基づいて印刷された前記展開図形上の線が輪郭線であるか否かを判定し、裁断制御手段は、輪郭線と判定された線を前記展開図形の切取枠として前記印刷物を裁断処理するとともに、輪郭線ではないと判定された線に沿って前記印刷物のハーフカットを行う。
【００１９】
したがって、裁断された展開図形を立体的に変形することにより、例えばクラフト工作やポップアート等を容易に作成できる。
【００２０】
【発明の実施の形態】
以下、図を参照して本発明の実施の形態を詳細に説明する。
図１〜図２４は、本発明の印刷裁断処理装置を適用したワードプロセッサを示す図である。
【００２１】
まず、構成を説明する。
図１は、本実施の形態におけるワードプロセッサ１内部の要部構成を示すブロック図である。この図１において、ワードプロセッサ１は、ＣＰＵ２、入力装置３、表示装置４、ＲＡＭ５、記憶装置６、記憶媒体６ａ、スキャナ７、印刷装置８、及びカッティング装置９から構成されており、記憶媒体６ａを除く各部はバス１０に接続されている。
【００２２】
ＣＰＵ（Central Processing Unit）２は、記憶装置６内に格納されているワードプロセッサとしての各種処理プログラムをＲＡＭ５内（図２参照）のワークメモリ５ｇに展開してワードプロセッサ１内の各部を制御して、ワードプロセッサ１としての文書作成処理、文書印刷処理等を実行するとともに、後述する初期設定処理（図３参照）、印刷裁断処理（図５参照）を実行する。
【００２３】
また、ＣＰＵ２は、後述する初期設定処理において、印刷装置８にセットされた用紙上に所定の基準マークを印字し、この基準マークに基づいて上記用紙をカットし、このカット位置に最も近い基準マークの位置番号を中央位置データとして入力装置３から入力され、左右端の補正値データが入力装置３から入力されると、上記中央位置データ、及び左端の補正値データ、右端の補正値データを記憶する。
【００２４】
そして、ＣＰＵ２は、表示装置４に対象物選択画面を表示させ、入力装置３からの対象物指定の有無を判定し、対象物の指定があれば、当該指定が封筒作成であるか否かを判定し、封筒作成である場合、表示装置４に封筒形状を表示させ、入力装置３から当該封筒形状の寸法の入力があると、後述するのりしろ算出処理を実行し、封筒ののりしろを算出し、この算出結果に基づいて後述する展開封筒作成処理を実行し、封筒の展開図を作成し、対象物選択画面を表示装置４に表示させ、対象物選択の待機状態に入る。
【００２５】
また、ＣＰＵ２は、対象物が封筒でない場合、対象物が立体図形であるか否かを判定し、立体図形の作成及びその立体図形の面数が選択されると、表示装置４に当該立体図形の形状を表示させ、入力装置３から上記封筒の寸法の入力があると、入力された寸法に基づいて後述する立体図形展開図作成処理を実行し、立体図形の展開図を作成し、対象物選択画面を表示装置４に表示させ、対象物選択の待機状態に入る。
【００２６】
また、ＣＰＵ２は、対象物が立体図形でない場合、対象物がシールであるか否かを判定し、シールであれば、後述するシール印刷処理を実行し、シールの印刷後、対象物選択画面を表示装置４に表示させ、対象物選択の待機状態に入る。対象物がシールでない場合、ＣＰＵ２は、対象物の選択を解除する入力の有無を判定し、当該入力があれば印刷裁断処理を終了する。
【００２７】
入力装置３は、カナキー、数値キー及び各種ファンクションキー等が配置されたキーボードとマウス等のポインティングデバイスを含み、キーボードにおいて押下されたキーの押下信号やマウスの位置信号をＣＰＵ２に出力する。
【００２８】
表示装置４は、ＣＲＴ（Cathode Ray Tube）や液晶表示装置等により構成され、ＣＰＵ２から入力される表示データ（封筒形状データ、立体図形形状データ等）を表示する。
【００２９】
ＲＡＭ（Random Access Memory）５は、図２（ａ）に示すように、移動補正テーブルメモリ５ａ、各種図形データメモリ５ｂ、展開図形データメモリ５ｃ、文字データメモリ５ｄ、立体図形展開図形対象相対位置テーブルメモリ５ｅ、文字変形、配置情報テーブルメモリ５ｆ等を有している。
【００３０】
移動補正テーブルメモリ５ａは上記初期設定処理において入力される中央部の数字、補正値（図４参照）等の複数の数値データを記憶し、各種図形データメモリ５ｂは上記印刷裁断処理において選択される各種封筒形状、立体図形等の図形データ（イラスト）を記憶し、展開図形データメモリ５ｃは後述する展開封筒作成処理、立体図形展開図作成処理において作成される各種展開封筒形状、立体図形展開図等の図形データを記憶し、文字データメモリ５ｄは上記展開封筒作成処理において入力される受取人データ、差出人データ等の印字データを記憶し、立体図形展開図形対象相対位置テーブルメモリ５ｅは上記立体図形展開図作成処理において立体図形に挿入される画像データを記憶し、文字変形、配置情報テーブルメモリ５ｆは上記立体図形展開図作成処理において立体図形に印字される文字列データを記憶し、ワークメモリ５ｇはＣＰＵ２が各種処理を実行する際に記憶装置６から読み出される各種プログラムや処理中の各種データを一時的に記憶する。
【００３１】
さらに、移動補正テーブルメモリ５ａは、図２（ｂ）に示すように、横基準中央位置メモリ５１ａ、横左補正値メモリ５２ａ、横右補正値メモリ５３ａ、縦基準中央位置メモリ５４ａ、縦左補正値メモリ５５ａ、縦右補正値メモリ５６ａ等を有している。
【００３２】
横方向基準中央位置メモリ５１ａは、図２（ｂ）に示すように、上記初期設定処理において入力装置３から入力される横方向のカット位置と基準マークが一致する中央位置に対応する数値データを記憶し、横方向左補正値メモリ５２ａは入力装置３から入力される左端の補正値データを記憶し、横方向右補正値メモリ５３ａは入力装置３から入力される右端の補正値データを記憶する。
【００３３】
同様に、縦方向基準中央位置メモリ５４ａは、図２（ｂ）に示すように、上記初期設定処理において入力装置３から入力される縦方向のカット位置と基準マークが一致する中央位置に対応する数値データを記憶し、縦方向左補正値メモリ５５ａは入力装置３から入力される左端の補正値データを記憶し、縦方向右補正値メモリ５６ａは入力装置３から入力される右端の補正値データを記憶する。
【００３４】
また、立体図形展開図形対象相対位置テーブルメモリ５ｅは、図３に示すように、画像グループ１データメモリ５１ｅ、画像グループ１表面画像配置領域サイズメモリ５２ｅ、画像グループ１表面画像配置領域メモリ５３ｅ、画像グループ１裏面画像配置領域サイズメモリ５４ｅ、画像グループ１裏面画像配置領域メモリ５５ｅ、画像グループ２データメモリ５６ｅ、画像グループ２表面画像配置領域サイズメモリ５７ｅ、画像グループ２表面画像配置領域メモリ５８ｅ等を有している。
【００３５】
画像グループ１データメモリ５１ｅは後述する立体図形相対位置確定処理において立体図形に挿入される表面画像データ、裏面画像データ等の複数の画像データを記憶し、画像グループ１表面画像配置領域サイズメモリ５２ｅは上記表面画像データが配置される領域サイズデータ（図２１の面ｅ参照）を記憶し、画像グループ１表面画像配置領域メモリ５３ｅは上記表面画像データが配置される領域の位置データ（図２１の面ｅ参照）を記憶し、画像グループ１裏面画像配置領域サイズメモリ５４ｅは上記裏面画像データが配置される領域サイズデータ（図２１の面ｇ参照）を記憶し、画像グループ１裏面画像配置領域メモリ５５ｅは上記裏面画像データが配置される領域の位置データ（図２１の面ｇ参照）を記憶する。
【００３６】
以下同様に、次に挿入される画像データの配置領域サイズ、位置等に応じて画像グループ２データメモリ５６ｅは表面画像データ、裏面画像データ等の複数の画像データを記憶し、画像グループ２表面画像配置領域サイズメモリ５７ｅは前記表面画像データが配置される領域サイズデータを記憶し、画像グループ２表面画像配置領域メモリ５８ｅは前記表面画像データが配置される領域の位置データを記憶する。
【００３７】
また、文字変形、配置情報テーブルメモリ５ｆは、図４に示すように、文字列データ１メモリ５１ｆ、文字列データ１の変形フォーマット及び位置情報メモリ５２ｆ、文字列データ１のアウトラインフォントの各点における伸縮率情報メモリ５３ｆ、文字列データ２メモリ５４ｆ、文字列データ２の変形フォーマット及び位置情報メモリ５５ｆ、文字列データ２のアウトラインフォントの各点における伸縮率情報メモリ５６ｆ等を有している。
【００３８】
文字列データ１メモリ５１ｆは後述する文字列投射印字処理において立体図形に印字される文字列データを記憶し、文字列データ１の変形フォーマット及び位置情報メモリ５２ｆは上記文字列データ１が配置される領域の位置データ（図２１の面ｂ〜ｄ参照）を記憶し、文字列データ１のアウトラインフォントの各点における伸縮率情報メモリ５３ｆは上記文字列データ１の輪郭上の各点における伸縮率データを記憶する。
【００３９】
以下同様に、次に印字される文字列データの配置領域サイズ、形状、位置等に応じて、文字列データ２メモリ５４ｆは立体図形に印字される文字列データを記憶し、文字列データ２の変形フォーマット及び位置情報メモリ５５ｆは上記文字列データ２が配置される領域の位置データを記憶し、文字列データ２のアウトラインフォントの各点における伸縮率情報メモリ５６ｆは上記文字列データ２の輪郭上の各点における伸縮率データを記憶する。
【００４０】
記憶装置６は、プログラムやデータ等が予め記憶されている記憶媒体６ａを有しており、この記憶媒体６ａは磁気的、光学的記録媒体、若しくは半導体メモリで構成されている。この記憶媒体６ａは記憶装置６に固定的に設けたもの、若しくは着脱自在に装着するものであり、この記憶媒体６ａには上記初期設定処理プログラム、印刷裁断処理プログラム、のりしろ算出処理プログラム、展開封筒作成処理プログラム、展開図裁断処理プログラム、立体図形展開図作成処理プログラム、文字列投射印字処理プログラム、立体図形相対位置確定処理プログラム、シール印刷処理プログラム、及びその他各プログラムで処理されたデータ等を記憶する。また、記憶装置６は、上記展開封筒作成処理において選択される複数の各種形状の切取枠データ、受取人データ等を記憶する。
【００４１】
スキャナ７は、図５に示すように、印刷装置８内のインクリボンカートリッジ８２をセットするキャリッジ８１に搭載されており、ＣＰＵ２が印刷裁断処理を実行する際に、ＣＰＵ２から入力される読み取り制御信号により制御され、印刷装置８の用紙給紙位置にセットされて搬送される読み取り対象の原稿上を走査して画像を読み取り、その読み取った画像データをＣＰＵ２に出力する。
【００４２】
印刷装置８は、ＣＰＵ２の制御により印字動作と用紙送り動作を実行し、ＣＰＵ２から入力される印刷データに基づく印刷制御信号に基づいて印字信号を生成して印字ヘッドを駆動制御するとともに、キャリッジ８１の移動動作、及びインクリボンカートリッジ８２におけるインクリボン８２ａの送り動作をそれぞれ駆動制御して、プラテン８４上を用紙搬送機構（図示略）により搬送される印刷用紙に文書データを印字する。
【００４３】
また、印刷装置８は、ＣＰＵ２が上記印刷裁断処理を実行する際にＣＰＵ２から入力される制御信号により用紙搬送機構を制御して、スキャナ７の画像読み取り走査タイミングに合わせて切り取り対象の原稿用紙の搬送状態を制御するとともに、カッティング装置９のカッティング動作タイミングに合わせて切り取り対象のシール用紙の搬送状態を制御する。
【００４４】
カッティング装置９は、印刷装置８内のインクリボンカートリッジ８２をセットするキャリッジ８１に搭載されており、ＣＰＵ２が上記用紙カット処理を実行する際に、ＣＰＵ２から入力される切り取り制御信号により制御され、印刷装置８の用紙給紙位置にセットされて搬送されるシール用紙上の切取線で囲まれた部分を切り取る。
【００４５】
また、印刷装置８内部のキャリッジ部分の要部構成は、図５に示すように、用紙搬送機構の一部にその両端部が固定支持されたプラテン８４と、キャリッジ駆動機構の駆動ベルトに懸架された状態で図中左右方向に移動されるキャリッジ８１と、キャリッジ８１にセットされるインクリボンカートリッジ８２のインクリボン８２ａの露出位置に上下に可動可能に設けられた印字ヘッド８３と、からなる。
【００４６】
さらに、キャリッジ８１の図中右側部にはスキャナ７が一体的に設けられるとともに、キャリッジ８１の図中左側部にはカッティング装置９が一体的に設けられている。また、キャリッジ８１にセットされたインクリボンカートリッジ８２のインクリボン８２ａが露出する位置に印字ヘッド８３が位置し、印刷時にはキャリッジ８１内部の印字ヘッド駆動機構（図示略）により印字ヘッド８３が図中下方に移動されて、プラテン８４上を搬送される用紙Ｐ上にインクリボン８２ａを溶融・押圧して印字データの印字を行う。
【００４７】
さらに、原稿画像切り取り時にはカッティング装置９の先端部に設けられたカッター９ｂ部分が内蔵された電磁ソレノイド（図示略）の作用により図中下方に移動されて、プラテン８４上を搬送される用紙Ｐ上の切取線で囲まれた部分を切り取る。また、カッティング装置９のカッター９ｂは、内蔵された回転駆動機構（図示略）により切り取り時に刃先９ａが回転して、曲線の切取線で囲まれた原稿画像も切り取ることが可能なように構成されている。
【００４８】
次に、本実施の形態における動作を説明する。
まず、ＣＰＵ２により実行される初期設定処理について図６に示すフローチャートに基づいて説明する。
【００４９】
この図６において、ワードプロセッサ１の電源が投入されると、ＣＰＵ２は、まず、印刷装置８にセットされた用紙上に所定の基準マークを印字し（ステップＳ１）、この基準マークに基づいて上記用紙をカットする（ステップＳ２）。次に、このカット位置に最も近い基準マークの位置番号を中央位置データとして入力装置３から入力され（ステップＳ３）、左右端の補正値データが入力装置３から入力される（ステップＳ４）と、ＣＰＵ２は、上記中央位置データを横方向基準中央位置メモリ５１ａに記憶し、左端の補正値データを縦方向左補正値メモリ５２ａに記憶し、右端の補正値データを縦方向右補正値メモリ５３ａに記憶し（ステップＳ５）、当該初期設定処理を終了する。そして、上記初期設定処理と同様の処理を縦方向についても行う。
【００５０】
次に、上記処理に基づく具体的処理例として、図７に示す実際の印刷裁断結果を参照して、本実施の形態における初期設定方法について説明する。まず、図７（ａ）に示すように、１０個の基準マークＰ１を用紙上の横方向に印刷し、当該基準マークＰ１に沿って用紙をカットする。この場合、位置番号が「３」の位置で補正値が“±０ｍｍ”となるため、中央位置は「３」に決定する。また、左端の位置番号が「１」の位置では、カット位置Ｐ２が基準マークＰ１に対して０．２ｍｍ下方にあるため、補正値は“−０．２ｍｍ”に決定する。同様に、右端の位置番号が「１０」の位置では、カット位置Ｐ２が基準マークＰ１に対して１．０ｍｍ上方にあるため、補正値は“＋１．０ｍｍ”に決定する。
【００５１】
また、図７（ｂ）に示すように、１０個の基準マークＰ３を用紙上の縦方向に印刷し、当該基準マークＰ３に沿って用紙をカットする。この場合、位置番号が「５」の位置で補正値が“±０ｍｍ”となるため、中央位置は「５」に決定する。また、左端の位置番号が「１」の位置では、カット位置Ｐ４が基準マークＰ３に対して１．０ｍｍ右方にあるため、補正値は“−１．０ｍｍ”に決定する。同様に、右端の位置番号が「１０」の位置では、カット位置Ｐ４が基準マークＰ３に対して１．０ｍｍ左方にあるため、補正値は“＋１．０ｍｍ”に決定する。
【００５２】
次に、ＣＰＵ２により実行される印刷裁断処理について図８に示すフローチャートに基づいて説明する。
【００５３】
この図８において、ＣＰＵ２は、まず、図９（ａ）の実際の表示画面に示すように、表示装置４に対象物選択画面を表示させる（ステップＳ１１）。次に、ＣＰＵ２は、入力装置３からの対象物指定の有無を判定する（ステップＳ１２）。ここで、対象物の指定があれば（ステップＳ１２；Ｙｅｓ）、ＣＰＵ２は、当該指定が封筒作成であるか否かを判定する（ステップＳ１２）。ここで、封筒作成である場合（ステップＳ１３；Ｙｅｓ）、ＣＰＵ２は、図９（ｂ）の実際の表示画面に示すように、表示装置４に封筒形状を表示させる（ステップＳ１４）。
【００５４】
次に、入力装置３から当該封筒形状の寸法の入力があると（ステップＳ１５）、ＣＰＵ２は、後述するのりしろ算出処理を実行し（ステップＳ１６）、封筒ののりしろを算出する。次に、ＣＰＵ２は、この算出結果に基づいて後述する展開封筒作成処理を実行する（ステップＳ１７）。そして、ＣＰＵ２は、封筒の展開図を作成し、再びステップＳ１１に戻り、対象物選択画面を表示装置４に表示させ、対象物選択の待機状態に入る。なお、ステップＳ１２において、対象物の選択がない場合（ステップＳ１２；Ｎｏ）も、同様にステップＳ１１に戻り、対象物選択画面を表示装置４に表示させ、対象物選択の待機状態に入る。
【００５５】
また、ステップＳ１３において、対象物が封筒でない場合（ステップＳ１３；Ｎｏ）、ＣＰＵ２は、対象物が立体図形であるか否かを判定し（ステップＳ１８）、図１０（ａ）の実際の表示画面に示すように、立体図形の作成及びその立体図形の面数が選択されると（ステップＳ１８；Ｙｅｓ）、図１０（ｂ）の実際の表示画面に示すように、表示装置４に当該立体図形の形状を表示させる（ステップＳ１９）。
【００５６】
次に、図９（ｂ）に示す表示画面において入力装置３から上記封筒の寸法の入力があると（ステップＳ２０）、ＣＰＵ２は、入力された寸法に基づいて後述する立体図形展開図作成処理を実行する（ステップＳ２１）。そして、ＣＰＵ２は、立体図形の展開図を作成し、再びステップＳ１１に戻り、対象物選択画面を表示装置４に表示させ、対象物選択の待機状態に入る。
【００５７】
また、ステップＳ１８において、対象物が立体図形でない場合（ステップＳ１８；Ｎｏ）、ＣＰＵ２は、対象物がシールであるか否かを判定し（ステップＳ２２）、シールであれば（ステップＳ２２；Ｙｅｓ）、後述するシール印刷処理を実行する（ステップＳ２３）。そして、ＣＰＵ２はシールの印刷後、再びステップＳ１１に戻り、対象物選択画面を表示装置４に表示させ、対象物選択の待機状態に入る。
【００５８】
なお、ステップＳ２２において、対象物がシールでない場合（ステップＳ２２；Ｎｏ）、ＣＰＵ２は、対象物の選択を解除する入力の有無を判定し（ステップＳ２４）、当該入力があれば（ステップＳ２４；Ｙｅｓ）、印刷裁断処理を終了する。また、当該入力がなければ（ステップＳ２４；Ｎｏ）、再びステップＳ１１に戻り、対象物選択画面を表示装置４に表示させ、対象物選択の待機状態に入る。
【００５９】
次に、図８のステップＳ１６においてＣＰＵ２により実行されるのりしろ算出処理について図１１に示すフローチャートに基づいて説明する。
【００６０】
まず、ＣＰＵ２は、図１１（ａ）に示すように、のりしろ１１ａの横の長さａを封筒の横の長さをＡとして、Ａ＊０．０６により算出する（ステップＳ１６１）。次に、ＣＰＵ２は、のりしろ１１ｂの縦の長さｂを封筒の縦の長さをＢとして、Ｂ＊０．０６により算出する（ステップＳ１６２）。次に、ＣＰＵ２は、封筒の蓋となる部分ののりしろ１１ｃの縦の長さｃをｂ＊２により算出する（ステップＳ１６３）。そして、ＣＰＵ２は、上記ａ，ｂ，ｃの値が１０ｍｍ以下の場合は、それぞれの値を１０ｍｍに設定し（ステップＳ１６４）、のりしろ算出処理を終了し、次処理に移行する。
【００６１】
次に、図８のステップＳ１７においてＣＰＵ２により実行される展開封筒作成処理について図１２に示すフローチャートに基づいて説明する。
【００６２】
まず、ＣＰＵ２は、入力装置３からの指示入力によりカット用紙サイズを選択する（ステップＳ１７１）。次に、ＣＰＵ２は、予め設定された基準の封筒サイズと選択された用紙サイズから拡大縮小率を算出する（ステップＳ１７２）。次に、ＣＰＵ２は、この算出結果に基づいて上記基準の封筒サイズを拡大または縮小し、カットデータとしてＲＡＭ５内の展開図形データメモリ５ｃに記憶する（ステップＳ１７３）。
【００６３】
次に、ＣＰＵ２は、記憶された展開封筒のサイズが適正であるか否かを判定し（ステップＳ１７４）、適正な値であれば（ステップＳ１７４；Ｙｅｓ）、その封筒の差出人及び受取人の選択画面を表示装置４に表示させ（ステップＳ１７５）、
適正な値でなければ（ステップＳ１７４；Ｎｏ）、ＣＰＵ２は、一定時間「封筒サイズが適正範囲にありません。」等の不適切な指定を通知するガイダンスを表示させ（ステップＳ１８６）、展開封筒作成処理を終了し、次処理へ移行する。
【００６４】
次に、ＣＰＵ２は、ステップＳ１７５で表示された受取人選択画面に基づく入力装置３からの受取人の選択入力の有無を判定する（ステップＳ１７６）。ここで、受取人の選択があれば（ステップＳ１７６；Ｙｅｓ）、ＣＰＵ２は、選択された受取人データを受取人位置への印字データとしてＲＡＭ５内の文字データメモリ５ｄに記憶する（ステップＳ１７７）。次に、ＣＰＵ２は、上記受取人位置の下の印字データとして「様」を文字データメモリ５ｄに記憶する（ステップＳ１７８）。次に、ＣＰＵ２は、所定の位置への印字データとして切手枠・郵便番号枠を文字データメモリ５ｄに記憶する（ステップＳ１７９）。
【００６５】
次に、ＣＰＵ２は、ステップＳ１７５で表示された差出人選択画面に基づく入力装置３からの差出人の選択入力の有無を判定する（ステップＳ１８０）。ここで、差出人の選択があれば（ステップＳ１８０；Ｙｅｓ）、ＣＰＵ２は、選択された差出人データを差出人位置への印字データとしてＲＡＭ５内の文字データメモリ５ｄに記憶する（ステップＳ１８１）。
【００６６】
次に、ＣＰＵ２は、入力装置３からの入力操作に基づいて印刷カットを開始するか否かを判定する（ステップＳ１８２）。ここで、開始の指示入力があれば（ステップＳ１８２；Ｙｅｓ）、ＣＰＵ２は、図１５（ｂ）に示すように文字データメモリ５ｄに記憶されている各印字データを印刷装置９にセットされた用紙に印字させる（ステップＳ１８３）。
【００６７】
次に、ＣＰＵ２は、後述する展開図裁断処理を実行し（ステップＳ１８４）、展開図形データメモリ５ｃに記憶されたカットデータに基づいてカッティング装置１０により用紙のカットを行う。そして、ＣＰＵ２は、不要になったカットデータ、印字データをＲＡＭ５から消去し（ステップＳ１８５）、展開封筒作成処理を終了し、次処理に移行する。
【００６８】
なお、ステップＳ１７６において、受取人の選択がなかった場合（ステップＳ１７６；Ｎｏ）、及びステップＳ１８０において、差出人の選択がなかった場合（ステップＳ１８０；Ｎｏ）、及びステップＳ１８２において、印刷カットを開始しない場合（ステップＳ１８２；Ｎｏ）には、再びステップＳ１７５に戻り、ＣＰＵ２は、受取人及び差出人の選択画面を表示装置４に表示させ、選択待機状態に入る。
【００６９】
次に、図１２のステップＳ１８４においてＣＰＵ２により実行される展開図裁断処理について図１３に示すフローチャート、及び図１５に示す封筒展開図に基づいて説明する。
【００７０】
まず、ＣＰＵ２は、スキャナ７により図１５（ａ）に示す用紙１１上に印刷された展開図形の輪郭線を読み取り、図１５（ｂ）に示すような基準点１１ｆ、始点１１ｄ、終点１１ｅを算出する（ステップＳ１８４１）。ここで、基準点とは封筒展開図の左上端の頂点である。また、始点とは左辺の延長線上の点であり、カッティング装置９はこの点から用紙カットを開始する。また、終点とは上辺の延長線上の点であり、カッティング装置９はこの点で用紙カットを終了する。
【００７１】
次に、ＣＰＵ２は、算出された始点１１ｄに刃先９ａを合わせ（ステップＳ１８４２）、カッター９ａを用紙Ｐに接触する位置まで下げる（ステップＳ１８４３）。次に、ＣＰＵ２は、カット方向へ輪郭線に沿うように用紙１１を送り、キャリッジ８１を移動させる（ステップＳ１８４４）。
【００７２】
ここで、封筒作成に使用される用紙は、図１４に示すように透明粘着性ゴム１１１の上面に貼り付けられる。この透明粘着性ゴム１１１は、用紙の貼り付け、剥がしが容易な粘着力の弱い透明の素材からなる。また、この透明粘着性ゴム１１１は、弾力性のあるフィルム１１２に重なるように貼り付けられ、このフィルム１１２上面の所定の位置には、用紙のセット位置を示すＢ５，Ａ４，Ｂ４等の用紙サイズが印刷されている。すなわち、透明粘着性ゴム１１１及びフィルム１１２は、シールの台紙代わりをなすものであり、これにより印刷裁断処理における印刷装置８による用紙送り制御がスムーズに行われる。
【００７３】
次に、ＣＰＵ２は、刃先９ａが終点１１ｅに達したか否かを判定する（ステップＳ１８４５）。ここで、終点１１ｅに達した場合（ステップＳ１８４５；Ｙｅｓ）、ＣＰＵ２は、上記カットデータ中のハーフカットの有無を判定する（ステップＳ１８４６）。ここで、ハーフカットとは、用紙の上面１／３程度のみのカットであり、用紙上に折り目をつけるのに適している。なお、終点に達していない場合（ステップＳ１８４５；Ｎｏ）、ステップＳ１８４４に戻り、刃先９ａが終点１１ｅに達するまで用紙を送り、キャリッジ移動動作を継続する。
【００７４】
また、ステップＳ１８４６において、カットデータ中にハーフカットが有れば（ステップＳ１８４６；Ｙｅｓ）、ＣＰＵ２は、刃先９ａを最初のハーフカット基準点へ移動させ（ステップＳ１８４７）、ハーフカットを実行する（ステップＳ１８４８）。次に、ＣＰＵ２は、他のハーフカット基準点の有無を判定する（ステップＳ１８４９）。ここで、他のハーフカット基準点が有れば（ステップＳ１８４９；Ｙｅｓ）、刃先９ａをその基準点に移動させハーフカットを行う。この動作を展開図形データメモリ５ｃに記憶されたカットデータ中の全てのハーフカット基準点について行う。図１５（ｂ）に示す封筒の場合、１１ｇ，１１ｈの２ヶ所がハーフカット基準点となり、これらの点を始点として点線に沿ってハーフカットが行われる。
【００７５】
なお、ステップＳ１８４６において、ハーフカットがなかった場合（ステップＳ１８４６；Ｎｏ）、及びステップＳ１８４９において、他のハーフカット基準点がなかった場合（ステップＳ１８４９；Ｎｏ）には、ＣＰＵ２は、展開図裁断処理を終了し、次処理に移行する。
【００７６】
次に、図８のステップＳ２１においてＣＰＵ２により実行される立体図形展開図作成処理について図１６に示すフローチャートに基づいて説明する。
【００７７】
まず、ＣＰＵ２は、図８のステップＳ２０において入力装置３から入力された立体図形作成用の寸法が有効な値であるか否かを判定する（ステップＳ２１１）。ここで、この寸法が有効な値である場合（ステップＳ２１１；Ｙｅｓ）、ＣＰＵ２は、上記立体図形中に文字列が存在するか否かを判定する（ステップＳ２１２）。なお、寸法が有効な値ではない場合（ステップＳ２１１；Ｎｏ）、ＣＰＵ２は、立体図形展開図作成処理を終了する。
【００７８】
ステップＳ２１２において、上記立体図形中に文字列が存在する場合（ステップＳ２１２；Ｙｅｓ）、ＣＰＵ２は、その文字列データを図４に示した文字列変形、配置位置情報テーブル５ｆ内の文字列データ１メモリ５１ｆに格納させる（ステップＳ２１３）。また、文字列が存在しない場合（ステップＳ２１２；Ｎｏ）、ＣＰＵ２は、ステップＳ２１３の処理を実行せず、ステップＳ２１４の処理に移行する。
【００７９】
次に、ＣＰＵ２は、上記立体図形中に画像が存在するか否かを判定する（ステップＳ２１４）。ここで、上記立体図形中に画像が存在する場合（ステップＳ２１４；Ｙｅｓ）、ＣＰＵ２は、その画像データを図３に示した立体図形展開図画像相対位置テーブル５ｅ内の画像グループ１データメモリ５１ｅに格納させる（ステップＳ２１５）。また、画像が存在しない場合（ステップＳ２１４；Ｎｏ）、ＣＰＵ２は、ステップＳ２１５の処理を実行せず、ステップＳ２１６の処理に移行する。
【００８０】
次に、ＣＰＵ２は、上記立体図形の展開図を図８のステップＳ２０で入力された寸法に基づいて拡大または縮小する（ステップＳ２１６）。次に、ＣＰＵ２は、ステップＳ２１３において文字列データ１メモリ５１ｆに格納された文字列データ、及びステップＳ２１５において画像グループ１データメモリ５１ｅに格納された画像データを上記展開図に合うサイズに更新する（ステップＳ２１７）。
【００８１】
次に、ＣＰＵ２は、後述する文字列投射印字処理を実行し、上記立体図形の展開図の所定の位置に文字列データ１メモリ５１ｆ内の文字列データを印字し（ステップＳ２１８）、後述する立体図形相対位置確定処理を実行し、上記立体図形の展開図の所定の位置に画像グループ１データメモリ５１ｅ内の画像データを挿入し（ステップＳ２１９）、作成された立体図形展開図を表示装置４に表示させる（ステップＳ２２０）。
【００８２】
次に、ＣＰＵ２は、入力装置３からの入力指示に基づいて上記立体図形展開図の印刷、及びカットを実行するか否かを判定する（ステップＳ２２１）。ここで、
印刷カット実行の指示入力がある場合（ステップＳ２２１；Ｙｅｓ）、ＣＰＵ２は、展開図形データメモリ５ｃに記憶されている展開図データを印刷する（ステップＳ２２２）と同時に、この印刷処理に対応して図１３に示した展開図裁断処理を実行する（ステップＳ２２３）。なお、ステップＳ２２１において、印刷カット実行の指示入力がない場合（ステップＳ２２１；Ｎｏ）、ＣＰＵ２は、上記展開図データを記憶装置６に保存し（ステップＳ２２４）、立体図形展開図作成処理を終了する。
【００８３】
次に、図１６のステップＳ２１８においてＣＰＵ２により実行される文字列投射印字処理について図１７に示すフローチャートに基づいて説明する。
【００８４】
まず、ＣＰＵ２は、図４の文字列データ１メモリ５１ｆに文字列データが存在するか否かを判定する（ステップＳ２１８１）。ここで、文字列データが存在する場合（ステップＳ２１８１；Ｙｅｓ）、ＣＰＵ２は、その文字列データを取得し、それぞれの文字をアウトラインフォントに展開する（ステップＳ２１８２）。次に、ＣＰＵ２は、文字列データ１の変形フォーマット及び位置情報メモリ５２ｆに格納され、上記文字列データに対応する変形フォーマット、位置情報を取得する（ステップＳ２１８３）。
【００８５】
次に、ＣＰＵ２は、上記文字列データに含まれる文字数に合わせて上記変形フォーマットを等分する（ステップＳ２１８４）。次に、ＣＰＵ２は、分割された変形フォーマットの各領域内でのアウトラインフォントの各点における伸縮率情報を文字変形、配置情報テーブルメモリ５ｆの文字列データ１のアウトラインフォントの各点における伸縮率情報メモリ５３ｆに格納する（ステップＳ２１８５）。次に、ＣＰＵ２は、上記伸縮率情報に基づいて変形フォーマット内にアウトラインフォントを印字する（ステップＳ２１８６）。ここで、図１８（ｂ）は、図１８（ａ）に示す“おめでとう”の５文字の文字列に対して、前述の文字列投射印字処理を実行した場合の実際の文字列配置例を示す図である。
【００８６】
次に、ＣＰＵ２は、その処理対象を次の文字列データ格納領域である文字列データ２メモリ５４ｆに移行し（ステップＳ２１８７）、当該メモリ内の文字列データ２の有無を判定する。次に、ＣＰＵ２は、文字列データ２に対して再びステップＳ２１８１以降の処理を実行し、この処理を文字列データメモリに格納された全ての文字列データに対して実行する。そして、立体図形に含まれる全ての文字列データに対して文字列投射印字処理を実行後、次処理へ移行する。
【００８７】
次に、図１６のステップＳ２１９においてＣＰＵ２により実行される立体図形相対位置確定処理について図１９に示すフローチャートに基づいて説明する。
【００８８】
まず、ＣＰＵ２は、図３の立体図形展開図形対象相対位置テーブルメモリ５e内の画像グループ１データ５１eに画像データが存在するか否かを判定する（ステップＳ２１９１）。ここで、画像データが存在する場合（ステップＳ２１９１；Ｙｅｓ）、ＣＰＵ２は、その画像データの表面画像データ名を取得する（ステップＳ２１９２）。
【００８９】
次に、ＣＰＵ２は、画像グループ１表面画像配置領域サイズメモリ５２eから取得した表面画像配置領域サイズに基づいて上記表面画像データを拡大または縮小する（ステップＳ２１９３）。次に、ＣＰＵ２は、画像グループ１表面画像配置領域メモリ５３eから取得した表面画像配置領域に基づいて上記表面画像データを立体図形展開図上の所定の配置領域に配置する（ステップＳ２１９４）。
【００９０】
次に、ＣＰＵ２は、上記画像データの裏面画像データ名を取得し（ステップＳ２１９５）、画像グループ１裏面画像配置領域サイズメモリ５４eから取得した裏面画像配置領域サイズに基づいて上記裏面画像データを拡大または縮小する（ステップＳ２１９６）。次に、ＣＰＵ２は、画像グループ１裏面画像配置領域メモリ５５eから取得した裏面画像配置領域に基づいて上記裏面画像データを立体図形展開図上の所定の配置領域に配置する（ステップＳ２１９７）。ここで、図２０は、前述の文字列投射印字処理、及び立体図形相対位置確定処理を実行した場合の実際の文字列・画像配置例を示す図である。
【００９１】
次に、ＣＰＵ２は、その処理対象を次の画像グループ格納領域である画像グループ２データメモリ５６ｆに移行し（ステップＳ２１８７）、当該メモリ内の画像グループ２データの有無を判定する。次に、ＣＰＵ２は、画像グループ２データに対して再びステップＳ２１９１以降の処理を実行し、この処理を画像グループデータメモリに格納された全ての画像グループデータに対して実行する。そして、立体図形に含まれる全ての画像グループデータに対して立体図形相対位置確定処理を実行後、次処理へ移行する。
【００９２】
次に、図１６のステップＳ２２３においてＣＰＵ２により実行される展開図裁断処理について図１３に示すフローチャート、及び図２１に示す立体図形展開図に基づいて説明する。
【００９３】
まず、ＣＰＵ２は、スキャナ７により用紙２１上に印刷された立体図形展開図の輪郭線を読み取り、図２１に示すような基準点２１ｃ、始点２１ａ、終点２１ｂを算出する（ステップＳ１８４１）。次に、ＣＰＵ２は、算出された始点２１ａに刃先９ａを合わせ（ステップＳ１８４２）、刃先９ａを用紙２１に接触する位置まで下げる（ステップＳ１８４３）。次に、ＣＰＵ２は、カット方向へ輪郭線に沿うように用紙２１を送り、キャリッジ８１を移動させる（ステップＳ１８４４）。
【００９４】
次に、ＣＰＵ２は、刃先９ａが終点２１ｂに達したか否かを判定する（ステップＳ１８４５）。ここで、終点２１ｂに達した場合（ステップＳ１８４５；Ｙｅｓ）、ＣＰＵ２は、上記カットデータ中のハーフカットの有無を判定する（ステップＳ１８４６）。なお、終点に達していない場合（ステップＳ１８４５；Ｎｏ）、ステップＳ１８４４に戻り、刃先９ａが終点２１ｂに達するまで用紙を送り、キャリッジ移動動作を継続する。
【００９５】
また、ステップＳ１８４６において、カットデータ中にハーフカットが有れば（ステップＳ１８４６；Ｙｅｓ）、ＣＰＵ２は、刃先９ａを最初のハーフカット基準点へ移動させ（ステップＳ１８４７）、ハーフカットを実行する（ステップＳ１８４８）。次に、ＣＰＵ２は、他のハーフカット基準点の有無を判定する（ステップＳ１８４９）。ここで、他のハーフカット基準点が有れば（ステップＳ１８４９；Ｙｅｓ）、刃先９ａをその基準点に移動させハーフカットを行う。この動作を展開図形データメモリ５ｃに記憶されたカットデータ中の全てのハーフカット基準点について行う。図２１の立体図形展開図の場合、２１ｄ，２１ｅ，２１ｆ，２１ｇ，２１ｈの５ヶ所がハーフカット基準点となり、これらの点を始点として点線に沿ってハーフカットが行われる。
【００９６】
なお、ステップＳ１８４６において、ハーフカットがなかった場合（ステップＳ１８４６；Ｎｏ）、及びステップＳ１８４９において、他のハーフカット基準点がなかった場合（ステップＳ１８４９；Ｎｏ）には、ＣＰＵ２は、展開図裁断処理を終了し、次処理に移行する。上述の立体図形展開図作成処理により作成された展開図を組み立てることにより、例えば図２２に示すような立体図形を作ることができる。
【００９７】
次に、図８のステップＳ２３においてＣＰＵ２により実行されるシール印刷処理について図２３に示すフローチャートに基づいて説明する。
【００９８】
まず、ＣＰＵ２は、印刷装置８にセットされたシールが複数枚であるか否かを判定する（ステップＳ２３１）。ここで、シールが複数枚である場合（ステップＳ２３１；Ｙｅｓ）、ＣＰＵ２は、シールを印刷すると同時に、図２４に示すように最上列、及び左端列の各シールの左上位置にＸＹ方向の「＋」マーク３１ａを印刷する（ステップＳ２３２）。次に、ＣＰＵ２は、キャリッジ８１とシール用紙３１を初期位置へ移動させ（ステップＳ２３３）、「＋」マーク３１ａの認識準備をする。
【００９９】
次に、ＣＰＵ２は、左端縦方向に印刷された「＋」マーク３１ａを認識し、各「＋」マーク３１ａの位置情報をＲＡＭ５に記憶する（ステップＳ２３４）。同様に、ＣＰＵ２は、上端横方向に印刷された「＋」マーク３１ａを認識し、各「＋」マーク３１ａの位置情報をＲＡＭ５に記憶する（ステップＳ２３５）。次に、ＣＰＵ２は、ＲＡＭ５に記憶された縦横方向の「＋」マーク３１ａの位置情報に基づいて、刃先９ａにシール用紙３１をカットさせる（ステップＳ２３６）。
【０１００】
次に、ＣＰＵ２は、用紙上の全ての「＋」マーク３１ａに基づくシールカットが終了したか否かを判定する（ステップＳ２３７）。ここで、終了していれば（ステップＳ２３７；Ｙｅｓ）、シール印刷処理を終了し、終了していなければ（ステップＳ２３７；Ｎｏ）、ＣＰＵ２は、次の「＋」マーク３１ａを認識するまでシール用紙３１を移動させ（ステップＳ２３８）、再びステップＳ２３４に戻り、用紙上の全ての「＋」マーク３１ａに基づくシールカットが終了するまで、それ以降の処理を繰り返し実行する。
【０１０１】
また、ステップＳ２３１において、印刷装置８にセットされたシールが１枚である場合（ステップＳ２３１；Ｎｏ）、ＣＰＵ２は、シール印刷を実行し（ステップＳ２３９）、キャリッジ８１とシール用紙３１を初期位置へ移動させ（ステップＳ２４０）、印刷されたシールをカットし（ステップＳ２４１）、シール印刷処理を終了する。
【０１０２】
以上のように、本発明の印刷裁断処理装置を適用した本実施の形態におけるワードプロセッサ１によれば、上記初期設定処理により用紙カットの基準となる印字位置と実際のカット位置のずれを電源投入時に補正することにより、印字ヘッドのずれ等から生じる誤差を抑えることができる。
【０１０３】
また、上記印刷裁断処理によりユーザは封筒、立体図形の作成、シール印刷の３種類の処理の中から目的に合わせて所望の処理を自由に選択できる。さらに、ユーザは予め用意されている立体図形サンプルと必要最小限のサイズを指定するだけで立体図形サンプルを立体展開図形として目的のサイズに自動拡大、縮小することが可能となり、立体図形展開図を容易に所望のサイズに変更できる。
【０１０４】
また、上記のりしろ算出処理により、ユーザは必要な数値を入力するだけで、自動的に立体図形の展開図形を印刷し、かつ適切なサイズののりしろ幅を算出し、立体図形にのりしろ部分を付加した展開図の輪郭線を描画できる。
【０１０５】
また、上記展開封筒作成処理により、ユーザが選択した用紙に合うサイズの封筒を作成し、その封筒に既存のデータを使って受取人差出人データを印字することが可能となり、効率的に封筒を作成できる。さらに、上記展開図作成処理により、通常のカットだけでなく、ハーフカットを行うことも可能となり、カットミスによる切れ残りを防ぐことができる。
【０１０６】
また、上記立体図形展開図作成処理により、ユーザは必要に応じて文字や画像が所望の位置に配置された任意の大きさの立体図形の展開図を自動的に作成し、裁断することが可能となり、多様な立体図形を作成することができる。
【０１０７】
また、上記文字列投射印字処理により、ユーザは立体図形中の任意の面にその面の位置、サイズ、形状に合った所望の文字列データを配置することができる。さらに、印字対象となる文字列が立体図形の曲面や接合断面にかかる場合であっても、文字列投射して立体展開図形に印字することにより立体図形完成後に違和感の無い文字列を自動的に印字できる。
【０１０８】
また、上記立体図形相対位置確定処理により、ユーザは立体図形上の任意の面にその面の位置、サイズ、形状に合った所望の画像データを配置することができる。さらに、表示された立体図形のイメージ図を参照して、ユーザの指定位置に画像を挿入し、自動的に立体図形展開図を作成する機能を有することにより、ユーザは立体面の相対位置関係を考えずに容易に立体図形に画像を挿入することができる。
【０１０９】
また、上記シール印刷処理により、シール用紙が複数枚の時にカット位置を決めるカットマークを読み取って、ローラの回転やすべり等による印刷位置とのずれを補正することにより、誤差の少ない精確なカッティングを行うことができる。
【０１１０】
なお、本発明は、上記実施の形態の内容に限定されるものではなく、本発明の趣旨を逸脱しない範囲で適宜変更可能である。例えば、上記実施の形態におけるシール印刷処理では、基準マークを最上列及び最左列に印字するものとしたが、基準マークを最下列または最右列にも印字することによりカッティングデータが斜行している場合にも、その上端または左端位置に合わせてシール用紙を斜めにカットすることが可能となる。
【０１１１】
【発明の効果】
請求項１に記載の発明によれば、ユーザは展開基準図形を選択する容易な操作で、印刷物のサイズに合った所望の立体図形展開図を効率的に作成できる。さらに、画像や文字を含む立体図形展開図を印刷、裁断することが可能となり、例えばクリスマスカード等のポップアップカードが容易に作成できる。
また、請求項７に記載の発明によれば、ユーザは展開基準図形を選択する容易な操作で、印刷物のサイズに合った所望の立体図形展開図を効率的に作成できる。
【０１１２】
請求項２記載の発明によれば、ユーザは展開基準図形を選択する容易な操作で、立体図形展開図のサイズに合ったのりしろを自動的に作成できる。
【０１１３】
請求項３または８記載の発明によれば、請求項１または２記載の発明の効果に加えて、画像や文字を含む立体図形展開図を印刷、裁断することが可能となり、例えばクリスマスカード等のポップアートカードが容易に作成できる。
【０１１４】
請求項４または９記載の発明によれば、裁断の始点と終点の不一致による切れ残りを防ぎ、展開図形を用紙から容易に剥がすことができる。
【０１１５】
請求項５または１０記載の発明によれば、裁断された展開図形を立体的に変形することにより、例えばクラフト工作やポップアート等を容易に作成できる。
【０１１６】
請求項６記載の発明によれば、請求項１または２に記載の発明の効果に加えて、ヘッダの取付位置の誤差等から生じる印刷位置と裁断位置のずれを補正した後に裁断を行うため、印刷と外形カットのずれの少ない印刷物を容易に作成できる。
【図面の簡単な説明】
【図１】本発明の印刷裁断処理装置を適用した本実施の形態におけるワードプロセッサ１内部の要部構成を示すブロック図である。
【図２】メモリ構成を示す図であり、（ａ）は図１のＲＡＭ５内のメモリ構成を示す図であり、（ｂ）は移動補正テーブルメモリ５ａ内のメモリ構成を示す図である。
【図３】図２の立体図形展開図形対象相対位置テーブルメモリ５ｅ内のメモリ構成を示す図である。
【図４】図２の文字変形、配置情報テーブルメモリ５ｆ内のメモリ構成を示す図である。
【図５】図１の印刷装置８内のキャリッジ８１部分の構成、及び印字ヘッド８３の動作状態を示す図である。
【図６】図１のＣＰＵ２により実行される初期設定処理を示すフローチャートである。
【図７】図６の初期設定処理により実行されるカット位置の補正方法を示す図であり、（ａ）は横方向の基準マークとカット位置の一例を示す図であり、（ｂ）は縦方向の基準マークとカット位置の一例を示す図である。
【図８】図１のＣＰＵ２により実行される印刷裁断処理を示すフローチャートである。
【図９】図１の表示装置４の表示内容の一例を示す図であり、（ａ）は対象物選択画面を示す図であり、（ｂ）は封筒寸法入力設定画面を示す図である。
【図１０】図１の表示装置４の表示内容の一例を示す図であり、（ａ）は対象物選択画面を示す図であり、（ｂ）は立体図形寸法入力設定画面を示す図である。
【図１１】図１のＣＰＵ２により実行されるのりしろ算出処理を示すフローチャートである。
【図１２】図１のＣＰＵ２により実行される展開封筒作成処理を示すフローチャートである。
【図１３】図１のＣＰＵ２により実行される展開図裁断処理を示すフローチャートである。
【図１４】粘着性シート１１１、フィルム１１２の斜視図である。
【図１５】展開封筒作成処理により作成された封筒の展開図の一例を示す図であり、（ａ）は封筒のサイズを示す図であり、（ｂ）は封筒のカット位置を示す図である。
【図１６】図１のＣＰＵ２により実行される立体図形展開図作成処理を示すフローチャートである。
【図１７】図１のＣＰＵ２により実行される文字列投射印字処理を示すフローチャートである。
【図１８】展開図形に印字される文字列の一例を示す図であり、（ａ）は文字列投射印字処理前の文字列データを示す図であり、（ｂ）は文字列投射印字処理後の文字列データを示す図である。
【図１９】図１のＣＰＵ２により実行される立体図形相対位置確定処理を示すフローチャートである。
【図２０】立体図形相対位置確定処理後の立体図形展開図の一例を示す図である。
【図２１】立体図形展開図の文字列、画像配置位置、カット位置の一例を示す図である。
【図２２】立体図形展開図作成処理により作成された立体図形の完成イメージ図の一例である。
【図２３】図１のＣＰＵ２により実行されるシール印刷処理を示すフローチャートである。
【図２４】シール印刷処理により作成されたシールのカット位置の一例を示す図である。
【符号の説明】
１    ワードプロセッサ
２    ＣＰＵ
３    入力装置
４    表示装置
４ａ    対象物選択画面
４ｂ    封筒寸法入力設定画面
４ｃ    立体図形寸法入力設定画面
５    ＲＡＭ
５ａ    移動補正テーブルメモリ
５１ａ    横方向基準中央位置メモリ
５２ａ    横方向左補正値メモリ
５３ａ    横方向右補正値メモリ
５４ａ    縦方向基準中央位置メモリ
５５ａ    縦方向左補正値メモリ
５６ａ    縦方向右補正値メモリ
５ｂ    各種図形データメモリ
５ｃ    展開図形データメモリ
５ｄ    文字データメモリ
５ｅ    立体図形展開図形対象相対位置テーブルメモリ
５１ｅ    画像グループ１データメモリ
５２ｅ    画像グループ１表面画像配置領域サイズメモリ
５３ｅ    画像グループ１表面画像配置領域メモリ
５４ｅ    画像グループ１裏面画像配置領域サイズメモリ
５５ｅ    画像グループ１裏面画像配置領域メモリ
５６ｅ    画像グループ２データメモリ
５７ｅ    画像グループ２表面画像配置領域サイズメモリ
５８ｅ    画像グループ２表面画像配置領域メモリ
５ｆ    文字変形、配置情報テーブルメモリ
５１ｆ    文字列データ１メモリ
５２ｆ    文字列データ１の変形フォーマット及び位置情報メモリ
５３ｆ    文字列データ１のアウトラインフォントの各点における伸縮率情報メモリ
５４ｆ    文字列データ２メモリ
５５ｆ    文字列データ２の変形フォーマット及び位置情報メモリ
５６ｆ    文字列データ２のアウトラインフォントの各点における伸縮率情報メモリ
５ｇ    ワークメモリ
６    記憶装置
６ａ    記憶媒体
７    スキャナ
８    印刷装置
８１    キャリッジ
８１ａ    側部
８２    インクリボンカートリッジ
８２ａ    インクリボン
８３    印字ヘッド
８４    プラテン
９    カッティング装置
９ａ  刃先
９ｂ  カッター
１０  バス
Ｐ，１１，２１    用紙
Ｐ１    横方向基準マーク
Ｐ２    横方向カット位置
Ｐ３    縦方向基準マーク
Ｐ４    縦方向カット位置
１１ａ，１１ｂ，１１ｃ    のりしろ
１１ｄ，２１ａ    始点
１１ｅ，２１ｂ    終点
１１ｆ，２１ｃ    基準点
１１ｇ，１１ｈ，２１ｄ，２１ｅ，２１ｆ，２１ｇ，２１ｈ    ハーフカット基準点
２２    変形文字列印字位置
２３，２４，２５，２６    画像配置位置
３１    シール用紙
３１ａ    ＋マーク
１１１    粘着性シート
１１２    フィルム
【図１】
0003815136.tif 000002
【図２】
0003815136.tif 000003
【図３】
0003815136.tif 000004
【図４】
0003815136.tif 000005
【図５】
0003815136.tif 000006
【図６】
0003815136.tif 000007
【図７】
0003815136.tif 000008
【図８】
0003815136.tif 000009
【図９】
0003815136.tif 000010
【図１０】
0003815136.tif 000011
【図１１】
0003815136.tif 000012
【図１２】
0003815136.tif 000013
【図１３】
0003815136.tif 000014
【図１４】
0003815136.tif 000015
【図１５】
0003815136.tif 000016
【図１６】
0003815136.tif 000017
【図１７】
0003815136.tif 000018
【図１８】
0003815136.tif 000019
【図１９】
0003815136.tif 000020
【図２０】
0003815136.tif 000021
【図２１】
0003815136.tif 000022
【図２２】
0003815136.tif 000023
【図２３】
0003815136.tif 000024
【図２４】
0003815136.tif 000025